(57)【要約】【課題】事業者協定を結んでいない着信事業者の接続を拒否する着信事業者認証方法を提供する。【解決手段】着信事業者Ｄの着側網１６では、選択中継事業者Ｃの選択中継網１４からＩＡＭ  信号を受信したとき、自分の事業者コード含むＡＣＭ  信号を生成して選択中継網１４へ送信する。選択中継網１４の交換機１００  では、着側網１６から送信されたＡＣＭ  信号を受信し、そのＡＣＭ  信号に含まれる事業者コードに基づいて着信事業者Ｄが認証用の着信事業者情報リスト１０２  に登録されているかどうかを調べる。そして、登録されていない場合は、発側網１２および着側網１６の双方に対してＲＥＬ  信号を送信して呼接続を拒否し、登録されている場合は、呼接続の処理を続行する。【選択図】        図１
2004253867.tif 000002
【特許請求の範囲】
【請求項１】
発側網と着側網とを接続する選択中継網における着信事業者認証方法において、該方法は、
電話の接続過程で着側網から送信される発呼応答信号を受信したとき、該発呼応答信号に含まれる着信事業者を識別する着信事業者情報に基づいて、着信事業者が、選択中継事業者と事業者協定を結んでいる着信事業者をあらかじめ登録した着信事業者情報リストに登録されているかどうかを調べ、登録されていないとき接続を拒否し、登録されているとき接続を行うことを特徴とする着信事業者認証方法。
【請求項２】
請求項１に記載の方法において、前記着信事業者情報リストは、網使用料について事業者協定を結んでいる着信事業者を登録したものであることを特徴とする着信事業者認証方法。
【請求項３】
発側網と着側網とを接続する選択中継網において、該選択中継網は、
選択中継事業者と事業者協定を結んでいる着信事業者を登録した着信事業者情報リストと、電話の接続過程で着側網から送信される発呼応答信号を受信したとき、該発呼応答信号に含まれる着信事業者を識別する着信事業者情報に基づいて、着信事業者が前記着信事業者情報リストに登録されているかどうかを調べる認証手段と、着信事業者が前記着信事業者情報リストに登録されていないとき接続を拒否し、登録されているとき接続を行う接続手段とを有する回線交換機を含むことを特徴とする選択中継網。
【請求項４】
請求項３に記載の選択中継網において、前記回線交換機は、着側網から送信される発呼応答信号を最初に受信する回線交換機であることを特徴とする選択中継網。
【発明の詳細な説明】
【０００１】
【発明の属する技術分野】
本発明は、選択中継網における着信事業者認証方法と選択中継網とに関し、特に、網使用料に関し事業者協定を結んでいない着信事業者との接続を拒否する着信事業者認証方法と着信事業者認証を行う回線交換機を含む選択中継網とに関する。
【０００２】
【従来の技術】
電気通信事業者間で相互接続を行う場合、事業者網間のインタフェースは、電信電話技術委員会（ＴＴＣ  ）による勧告「ＪＪ−９０．１０相互接続用共通インタフェース仕様」に従って設定される。しかし、網使用料の精算に関しては事業者間に委ねられ事業者間の協議により決定されるが、通常、着信事業者等が選択中継事業者に対して網使用料を請求している。なお、選択中継事業者はユーザ課金を行う事業者であり、通常、発信者がマイライン登録をしている事業者が選択中継事業者となる。マイライン登録をした加入者は、例えば「００ＸＹ」の電話会社の識別番号をダイヤルしないで発信した場合、マイライン登録を行った電話会社（選択中継事業者）から通話料金を請求される。
【０００３】
【非特許文献１】
ＴＴＣ  標準「ＪＪ−９０．１０相互接続用共通インタフェース仕様」、第１版、電信電話技術委員会、１９９８年１１月２６日制定。
【０００４】
【発明が解決しようとする課題】
一般に、電話会社は加入者の要求に応じて相手と通話できる回線を提供するが、加入者は通話終了後に電話会社に対して電話代を支払わなければならない。つまり、加入者は無料で電話会社の回線を使用することはできない。選択中継事業者と着信事業者の間においても同様であり、選択中継事業者は、着信事業者に対して接続を要求して網の提供を受けた場合、その着信事業者に対して網使用料を支払う必要がある。図５は、このような加入者と電話会社との関係、および選択中継事業者と着信事業者との関係を示したものである。
【０００５】
しかしながら、従来、選択中継事業者は、事業者協議により網使用料が決定されているか否かに関係なく着信事業者に対して接続を行っていたので、事業者協議により網使用料を決めていない着信事業者に対して接続を行った場合、その着信事業者に対して本来支払うべき網使用料を支払うことができないという問題があった。
【０００６】
本発明はこのような従来技術の欠点を解消し、網使用料に関して事業者協定を結んでいない着信事業者との接続を拒否できる着信事業者認証方法および着信事業者の認証を行う回線交換機を含む選択中継網を提供することを目的とする。
【０００７】
【課題を解決するための手段】
上記の問題を解決するために本発明による着信事業者認証方法は、発側網と着側網とを接続する選択中継網における着信事業者認証方法であって、電話の接続過程で着側網から送信される発呼応答信号を受信したとき、発呼応答信号に含まれる着信事業者を識別する着信事業者情報に基づいて、着信事業者が、選択中継事業者と事業者協定を結んでいる着信事業者を登録した着信事業者情報リストに登録されているかどうかを調べ、登録されていないとき接続を拒否し、登録されているとき接続を行うことを特徴とする。
【０００８】
また、本発明による選択中継網は、発側網と着側網とを接続する選択中継網であって、選択中継事業者と事業者協定を結んでいる着信事業者を登録した着信事業者情報リストと、電話の接続過程で着側網から送信される発呼応答信号を受信したとき、発呼応答信号に含まれる着信事業者を識別する着信事業者情報に基づいて、着信事業者が着信事業者情報リストに登録されているかどうかを調べる認証手段と、着信事業者が着信事業者情報リストに登録されていないとき接続を拒否し、登録されているとき接続を行う接続手段とを有する回線交換機を含むことを特徴とする。
【０００９】
この場合、回線交換機は、着側網から送信される発呼応答信号を最初に受信する回線交換機であることが好ましい。
【００１０】
【発明の実施の形態】
次に添付図面を参照して本発明による着信事業者認証法の実施例を詳細に説明する。図１は、本発明による着信事業者認証法が適用された通信システムの構成例である。この通信システムは、接続事業者Ｂの網１２、選択中継事業者Ｃの選択中継網１４および接続事業者Ｄの網１６から構成され、網１２に含まれる交換機（図示せず）には加入者Ａの電話機１０が収容され、網１６に含まれる交換機（図示せず）には加入者Ｅの電話機１８が収容されている。図１では、加入者Ａから加入者Ｅに電話をするものとし、網１２を発側網、網１６を着側網、接続事業者Ｂを発信事業者Ｂ、接続事業者Ｄを着信事業者Ｄと称する。
【００１１】
なお、本実施例では、網１２〜１６は、ＪＪ−９０．１０相互接続用共通インタフェース仕様によるインタフェースを提供するものとする。また、交換機は、回線交換機に限定されるものとする。厳密には、信号に事業者情報を載せることができるプロトコルで通信を行う交換機に限定される。ＴＴＣ  勧告のＪＴ−Ｑ７６２，７６３，７６４  で規定されているＩＳＵＰプロトコルでは、発呼信号（ＩＡＭ  信号）や発呼応答信号（ＡＣＭ  信号）に事業者情報を載せることができる。通常、回線交換機は、このＩＳＵＰプロトコルで通信を行っている。
【００１２】
選択中継網１４に含まれる交換機１００  は、発側網１２に収容される電話機１０と着側網１６に収容される電話機１８とを接続する回線交換機であり、本実施例では、内蔵するメインメモリ上で認証用の着信事業者情報リスト１０２  を管理している。ここで、着信事業者情報リスト１０２  は、選択中継事業者Ｃと事業者協定を結んでいる着信事業者をあらかじめ登録したリストであり、その着信事業者を識別するための着信事業者情報、例えば事業者コードあるいは着信事業者識別番号を登録したものである。着信事業者情報リスト１０２  に登録されている着信事業者は、本実施例では、選択中継事業者Ｃと間で網使用料の精算方法等について事業者協定を結んでいる。
【００１３】
交換機１００  では、この着信事業者情報リスト１０２  に基づいて着信事業者の認証を行う。具体的には、電話の接続過程で着側網１６から発呼応答信号（ＡＣＭ  信号）を受信したとき、ＡＣＭ  信号に含まれる着信事業者Ｄの着信事業者情報に基づいて、着信事業者Ｄが着信事業者情報リスト１０２  に登録されているかどうかを調べ、着信事業者Ｄが事業者協定を結んでいる事業者であるとの認証を試みる。そして、認証に成功したとき、着側網１６からのＡＣＭ  信号を発側網１２へ転送して呼接続の処理を続行し、認証に失敗したとき、発側網１２および着側網１６の双方に対して切断信号（ＲＥＬ  信号）を送信して着側網１６に対する接続を拒否する。これにより、選択中継事業者Ｃは、網使用料について事業者協定を結んでいない着信事業者の接続を拒否することができる。
【００１４】
図１の通信システムの動作を、電話機１０の加入者Ａが電話機１８の加入者Ｅに電話をかける場合を例にとって、図２および図３に示す信号シーケンスを参照しながら説明する。ここで、図２は着信事業者の認証に失敗した場合の信号シーケンスを示し、図３は着信事業者の認証に成功した場合の信号シーケンスを示す。
【００１５】
発呼者（加入者Ａ）が電話機１０により被呼者（加入者Ｅ）の電話番号をダイヤルすると、電話番号は発信事業者Ｂの発側網１２に送出される。発側網１２では、電話機１０から送出された電話番号を受信すると、電話番号を含む発呼信号（ＩＡＭ  信号）を生成して選択中継網１４へ送信する。ＩＡＭ  信号は、選択中継網１４の交換機１００  を介して着側網１６へ転送される。
【００１６】
着側網１６では、発側網１４からＩＡＭ  信号を受信すると、そのＩＡＭ  信号に含まれる電話番号に基づいて電話機１８を選択し、呼出信号を送出してそのベルを鳴らす。また、自分（着信事業者Ｄ）の事業者コードあるいは着信事業者識別番号を着信事業者情報として含む発呼応答信号（ＡＣＭ  信号）を生成して選択中継網１４へ送信する。
【００１７】
選択中継網１４の交換機１００  では、着側網１６から送信されたＡＣＭ  信号を受信し、そのＡＣＭ  信号に含まれる着信事業者情報に基づいて着信事業者Ｄがメインメモリ上で管理している認証用の着信事業者情報リスト１０２  に登録されているかどうかを調べ、着信事業者Ｄが事業者協定を結んでいる着信事業者であるとの認証を試みる。
【００１８】
着信事業者の認証に失敗した場合、交換機１００  では、図２に示すように発側網１２および着側網１６の双方に対して切断信号（ＲＥＬ  信号）を送信する。発側網１２および着側網１６では、選択中継網１４からＲＥＬ  信号を受信すると、電話機１０および電話機１８に対して切断を行う。これにより、選択中継事業者Ｃは、網使用料について事業者協定を結んでいない着信事業者の接続を拒否することができる。
【００１９】
なお、選択中継網１４から発側網１２および着側網１６へ送信されるＲＥＬ  信号の「理由表示」の欄には、「その他のサービス又はオプションの利用不可クラス」と記載される。この表示は、交換機の認証処理などにより接続が拒絶された場合に使用される表示であり、他事業者やユーザから接続できないなどのクレームが寄せられた際に、その原因の解析に使用される。
【００２０】
着信事業者の認証に成功した場合、交換機１００  では、図３に示すように着側網１６から受信したＡＣＭ  信号を発側網１２へ転送し、呼接続の処理を続行する。一方、着側網１６では、被呼者（加入者Ｅ）が話し中でない（空きである）と判断すると、選択中継網１４へＲＢＴ  （呼出音）を送出する。ＲＢＴ  は、選択中継網１４および発側網１２を介して電話機１０へ転送される。そして、着側網１６では、被呼者が応答したときＲＢＴ  の送出を停止し、応答信号（ＡＮＭ  信号）を生成して選択中継網１４へ送信する。ＡＮＭ  信号は、選択中継網１４から発側網１２へ転送される。加入者Ａおよび加入者Ｅは通話を開始する。
【００２１】
なお、着側網１６では、加入者Ｅの応答を検知したとき、課金のために通話時間の測定を開始する。選択中継網１４および発側網１２でも、ＡＮＭ  信号を受信したとき課金のために通話時間の測定をそれぞれ開始する。選択中継事業者Ｃは、加入者Ａに対して課金を行い、発信事業者Ｂおよび着信事業者Ｄは、選択中継事業者Ｃに対して課金を行う。なお、ＪＪ−９０．１０の相互接続用共通インタフェース仕様では、網使用料の課金開始の契機はＡＮＭ  信号を検出した時、課金停止の契機はＲＥＬ  信号を検出した時である。
【００２２】
図４は、本発明による着信事業者認証方法が適用された通信システムの他の構成例である。この通信システムは、接続事業者Ｄの網２０、選択中継事業者Ｇの選択中継網２２および接続事業者Ｈの網２４から構成されており、本実施例では、網２０は発側網として、網２４は着側網としてそれぞれ動作するものとする。また、選択中継網２２では、発側網２０と着側網２４とを、複数の回線交換機、例えば交換機２００  、２０２  および２０４  を介して接続している。
【００２３】
選択中継網２２は、図１の選択中継網１４の場合と同様に、着側網２４から送信されるＡＣＭ  信号を受信したとき、そのＡＣＭ  信号に含まれる着信事業者情報に基づいて着信事業者の認証を行い、認証に失敗したとき発側網２０および着側網２４に対してＲＥＬ  信号を送信する。この場合、着信事業者の認証は、交換機２００  〜２０４  の何れによっても行うことができる。しかし、着側網２４から見て選択中継網２２の一番出側寄りにある交換機２００  により認証を行う場合、交換機２００  から送信されるＲＥＬ  信号は、交換機２０２  あるいは交換機２０４  から送信される場合に比べて最も遅く着側網２４に到達する。
【００２４】
着側網２４では、選択中継網２２から送信されるＲＥＬ  信号の受信が遅れると、被呼者に対する切断が遅れるため、被呼者が切断前に応答する場合が生じ得る。このような場合、着側網２４の着信事業者Ｈは、通話が行われたものとして（完了呼扱い）選択中継事業者Ｇに対し網使用料を請求する。しかし、選択中継事業者Ｇは、発側網２０および着側網２４に対してＲＥＬ  信号を送信して切断を要求し、通話は行われないので（不完了呼扱い）、発呼者に対して通話料を請求することはできない。このため、選択中継事業者Ｇは、着信事業者Ｈの請求に応じて支払った網使用料分の損失を受けることになる。
【００２５】
そこで、図４の実施例では、選択中継網２２の交換機２００  、２０２  、２０４  のうち発側網２０から見て最も出側寄りにある交換機２０４  、つまり交換機２００  、２０２  、２０４  のうち着側網２４からのＡＣＭ  信号を最初に受信できる交換機２０４  で着信事業者の認証を実施している。これにより、ＲＥＬ  信号は最も早く着側網２４に到達することとなり、着側網２４では被呼者が応答する前に切断処理を終了できる可能性が高くなる。いわゆるＲＥＬ  信号とＡＮＭ  信号のすれ違いが生ずる事態の発生を低減させることができる。したがって、選択中継事業者Ｇは、着信事業者Ｈの認証に失敗した場合に、着信事業者Ｈから網使用料の支払を請求されることは極めて少なくなる。
【００２６】
【発明の効果】
以上説明したように本発明による着信事業者認証方法によれば、選択中継網では、電話の接続過程で着信事業者から送信されてくる発呼応答信号に含まれる着信事業者情報に基づいて、着信事業者が着信事業者情報リストに登録されているかどうかを調べ、登録されていない場合には接続を拒否するので、選択中継事業者と事業者協定を結んでいない着信事業者との接続を拒否することができる。これにより、事業者間の料金精算上のトラブルを未然に防止することが可能となる。
【００２７】
また、本発明による選択中継網によれば、発側網と着側網とを複数の回線交換機を介して接続する場合に、着側網に最も近い交換機により着信事業者の認証処理を行っているので、認証失敗時に送出される切断信号は着側網に早く到達することとなり、被呼者が切断前に応答するという事態は減少する。これにより、認証不成功の場合に、選択中継事業者が着信事業者から網使用料の支払を請求される事態は少なくなる。
【図面の簡単な説明】
【図１】本発明による着信事業者認証方法が適用された通信システムの構成例を示すブロック図である。
【図２】図１の通信システムにおける着信事業者の認証に失敗した場合の信号シーケンスを示す図である。
【図３】図１の通信システムにおける着信事業者の認証に成功した場合の信号シーケンスを示す図である。
【図４】本発明による着信事業者認証方法が適用された通信システムの他の構成例を示すブロック図である。
【図５】加入者と電話会社との関係および選択中継事業者と着信事業者との関係を示す図である。
【符号の説明】
１０、１８  電話機
１２  発側網
１４  選択中継網
１６  着側網
１００    交換機
１０２    認証用着信事業者情報リスト
【図１】
2004253867.tif 000003
【図２】
2004253867.tif 000004
【図３】
2004253867.tif 000005
【図４】
2004253867.tif 000006
【図５】
2004253867.tif 000007